(57)【要約】  【課題】薬の副作用や手術等によって毛髪を失った人が、帽子等の内側に着用して自然な生え際をもたらす、安価で手軽に着脱することができ、固定用具による圧迫や摩擦が少ない生え際形成体を提供する。    【解決手段】 複数の毛髪状繊維が纏め部材によって纏められてなる毛髪状部材と、伸縮性のある帯状の素材が輪状に形成されてなる頭部着用部材２とを有し、前記毛髪状部材は前記頭部着用部材２により挟まれて固定されていることを特徴とする。  【選択図】  図１
2005068628.tif 000002
【特許請求の範囲】
【請求項１】
頭部周囲に着用する頭部生え際形成体であって、
複数の毛髪状繊維が纏め部材によって纏められてなる毛髪状部材と、
伸縮性のある帯状の素材が輪状に形成されてなる頭部着用部材とを有し、
前記毛髪状部材は前記頭部着用部材により挟まれて固定されていることを特徴とする
頭部生え際形成体。
【請求項２】
前記頭部着用部材は吸水性のある材料により構成されていることを特徴とする請求項１に記載の頭部生え際形成体。
【請求項３】
前記頭部着用部材の皮膚に当着する面には吸水性のある部材が取り外し可能に取り付けられていることを特徴とする請求項１乃至２のいずれかに記載の頭部生え際形成体。
【請求項４】
前記毛髪状部材は、伸縮性のある糸により縫製されることにより前記頭部着用部材に固定されていることを特徴とする請求項１乃至３のいずれかに記載の頭部生え際形成体。
【請求項５】
前記毛髪状部材は、生え際にふさわしい分量の毛髪状繊維により構成され、前記毛髪状繊維の毛先はうすくそがれていることを特徴とする請求項１乃至４のいずれかに記載の頭部生え際形成体。
【請求項６】
前記毛髪状部材は、前記複数の毛髪状繊維の長さ方向中央部が前記纏め部材を介して纏められ、前記毛髪状繊維は折り返され、両端が一方向に揃えられていることを特徴とする請求項１乃至５のいずれかに記載の頭部生え際形成体。
【請求項７】
前記毛髪状部材は、前記複数の毛髪状繊維の長さ方向中央から離れた部分で前記纏め部材を介して纏められ、前記毛髪状繊維は折り返され、両端が一方向に揃えられているていることを特徴とする請求項１乃至５のいずれかに記載の頭部生え際形成体。
【請求項８】
複数の前記毛髪状部材が前記頭部着用部材に固定され、
前記複数の毛髪状部材の固定位置は互いにずらされていることを特徴とする請求項１乃至７のいずれかに記載の頭部生え際形成体。
【請求項９】
帽子の内側に着用する被り物が前記頭部着用部材に取りはずし可能に取り付けられていることを特徴とする請求項１乃至８のいずれかに記載の頭部生え際形成体。
【請求項１０】
複数の毛髪状繊維が纏め部材によって纏められてなる毛髪状部材と、
伸縮性のある帯状の素材が輪状に形成されてなる頭部着用部材とを有し、
前記毛髪状部材は前記頭部着用部材により挟まれて固定されている
頭部生え際形成体の製造方法であって、
前記毛髪状部材を輪状に形成し、
前記頭部着用部材を輪状に形成し、
輪状に形成された前記頭部着用部材の幅方向中央付近から下部に、
輪状に形成された前記毛髪状部材を重ね、
前記頭部着用部材のうち幅方向中央付近から上部を折り返して前記毛髪状部材に被せ、
固定することにより前記頭部着用部材と前記毛髪状部材とを固定することを特徴とする頭部生え際形成体製造方法。
【発明の詳細な説明】
【技術分野】
【０００１】
本発明は抗癌剤治療の副作用、その他の病気、怪我等により頭髪がすべて脱毛、あるいは極度のうす毛状態の頭部に着用することにより、自然な生え際をもたらし、軽量で簡単に着用できる頭部生え際形成体に関するものである。
【背景技術】
【０００２】
従来の頭部全体に着用する一般的な鬘（以下、これらを「鬘」と言う）や、髷、つけ毛用の部分的なヘアーピース（以下、これらを「ヘアーピース」という）は、着用することにより本来の髪型を変化させ、毛髪量の補助の役割を果たし、ヘア―スタイルを楽しむことを可能ならしめているが、生え際の不自然さは解決できなかった。また、「生え際があるように見える鬘」（特許文献１参照）においては、生え際に似せた毛を鬘につける方法であり、「生え際用鬘」（特許文献２参照）においては、襟足部分の毛髪が不充分で、後方から見ると不自然さは否めない課題を残している。
【０００３】
【特許文献１】特平開１１−１８９９０７公報（第２頁、第２図）
【特許文献２】特平開８−２４６２１７号公報（第４頁、第３図）
【発明の開示】
【発明が解決しようとする課題】
【０００４】
抗癌剤治療の副作用、その他の病気、怪我等の原因から、頭髪がすべて脱毛、あるいは極度のうす毛状態になることがある。このような場合、羞恥心から上記従来の鬘、ヘアーピースを着用することが多いが、まったくの脱毛状態あるいは極度のうす毛状態では、鬘やヘアーピースを固定する毛髪がないため不安定で、強風等に煽られた時や、歩行時の体の振動により脱落し易く、安心度が得られない課題があった。
【０００５】
また、生え際のおくれ毛もすべて脱毛してしまうので、鬘を着用しても生え際が不自然で、鬘を着用していることが明らかとなり、羞恥心を解決できない課題があった。
【０００６】
上記従来の鬘は頭皮に密着させて固定するため頭皮が蒸れ、また、頭皮に密着させるための固定用具による頭部への圧迫と摩擦から、抗癌剤等の全身的副作用も影響して、皮膚疾患が起き易いという課題があった。
【０００７】
鬘と同様に帽子（以下、おしゃれ用、日よけ用、防寒用の一般的な帽子を「帽子」という ）、スカーフ等を着用することが多いが、頭髪がすべて脱毛してしまうので前記鬘着用時同様、生え際の不自然さは解決できない課題があった。
【発明の効果】
【０００８】
以上説明したように、本発明の頭部生え際形成体は、抗癌剤治療の副作用、その他の病気や怪我等により頭髪がすべて脱毛、あるいは極度のうす毛状態の頭部に、自然な生え際をもたらすことができる。また、軽量で簡単に着用でき、頭部の負担が軽く、羞恥心を排除して外出や通院等が負担とならず、しかも好みの帽子、スカーフ等で楽しむこともできる。さらに本発明は使用者の精神面の負担を軽減し、積極的な生き方を援護、補助する可能性を有する。
【０００９】
また、生え際を形成する毛髪状部材は、特に前髪部分、鬢（以下、揉上げを含む、頭の左右側面の毛髪を「鬢」という）部分と襟足部分が自然に見えるよう、生え際の毛髪にふさわしい分量の毛髪素材の毛先をうすくそいだものを、伸縮性のある糸で帯状に縫製したものであり、頭部着用部材に固着して頭部生え際をもたらす。
【課題を解決するための手段】
【００１０】
本発明の請求項１に記載の発明の要旨は、頭部周囲に着用する頭部生え際形成体であって、複数の毛髪状繊維が纏め部材によって纏められてなる毛髪状部材と、伸縮性のある帯状の素材が輪状に形成されてなる頭部着用部材とを有し、前記毛髪状部材は前記頭部着用部材により挟まれて固定されていることを特徴とする頭部生え際形成体に存する。
また、本発明の請求項２に記載の発明の要旨は、前記頭部着用部材は吸水性のある材料により構成されていることを特徴とする請求項１に記載の頭部生え際形成体に存する。
また、本発明の請求項３に記載の発明の要旨は、前記頭部着用部材の皮膚に当着する面には吸水性のある部材が取り外し可能に取り付けられていることを特徴とする請求項１乃至２のいずれかに記載の頭部生え際形成体に存する。
また、本発明の請求項４に記載の発明の要旨は、前記毛髪状部材は伸縮性のある糸により縫製されることにより、前記頭部着用部材に固定されていることを特徴とする請求項１乃至３のいずれかに記載の頭部生え際形成体に存する。
また、本発明の請求項５に記載の発明の要旨は、前記毛髪状部材は、生え際にふさわしい分量の毛髪状繊維により構成され、前記毛髪状繊維の毛先はうすくそがれていることを特徴とする請求項１乃至４のいずれかに記載の頭部生え際形成体に存する。
また、本発明の請求項６に記載の発明の要旨は、前記毛髪状部材は、前記複数の毛髪状繊維の長さ方向中央部が前記纏め部材を介して纏められ、前記毛髪状繊維は折り返され、両端が一方向に揃えられていることを特徴とする請求項１乃至５のいずれかに記載の頭部生え際形成体に存する。
また、本発明の請求項７に記載の発明の要旨は、前記毛髪状部材は、前記複数の毛髪状繊維の長さ方向中央から離れた部分で前記纏め部材を介して纏められ、前記毛髪状繊維は折り返され、両端が一方向に揃えられているていることを特徴とする請求項１乃至５のいずれかに記載の頭部生え際形成体に存する。
また、本発明の請求項８に記載の発明の要旨は、複数の前記毛髪状部材が前記頭部着用部材に固定され、前記複数の毛髪状部材の固定位置は互いにずらされていることを特徴とする請求項１乃至７のいずれかに記載の頭部生え際形成体に存する。
また、本発明の請求項９に記載の発明の要旨は、帽子の内側に着用する被り物が前記頭部着用部材に取りはずし可能に取り付けられていることを特徴とする請求項１乃至８のいずれかに記載の頭部生え際形成体に存する。
また、本発明の請求項１０に記載の発明の要旨は、複数の毛髪状繊維が纏め部材によって纏められてなる毛髪状部材と、伸縮性のある帯状の素材が輪状に形成されてなる頭部着用部材とを有し、前記毛髪状部材は前記頭部着用部材により挟まれて固定されている頭部生え際形成体の製造方法であって、前記毛髪状部材を輪状に形成し、前記頭部着用部材を輪状に形成し、輪状に形成された前記頭部着用部材の幅方向中央付近から下部に、輪状に形成された前記毛髪状部材を重ね、前記頭部着用部材のうち幅方向中央付近から上部を折り返して前記毛髪状部材に被せ、固定することにより前記頭部着用部材と前記毛髪状部材とを固定することを特徴とする頭部生え際形成体製造方法に存する。
【発明を実施するための最良の形態】
【００１１】
以下、本発明の実施の形態１について図１〜図７に従って説明する。
【００１２】
図１は前記頭部着用部材に前記毛髪状部材を固着した、本発明の頭部生え際形成体の実施図である。
【００１３】
図２は本発明の頭部生え際に着用する前記頭部着用部材２であり、軽量で頭部の負担が少なく、しかも伸縮性があるので多少の頭の大きさの違いに対応できる。
前記頭部着用部材２の素材は頭部の蒸れを防ぐために綿素材、あるいは乾燥の速いバイアス布、伸縮テープ等を用い、着用時の安定を考慮した幅を要する。
【００１４】
図３は本発明の生え際を形成するための前記毛髪状部材である。毛髪状繊維４は一般的な鬘やヘアーピースに使用されているナイロン、ポリエステル材等の毛先をうすくそぎ、伸縮性のある糸で帯状に縫製して、前記頭部着用部材同様伸縮性をもたせる。前髪部分４ａ、鬢部分４ｂと襟足部分４ｃには長めの素材を用いると自然な生え際をもたらし、使用者の耳の位置、額の広さに合わせて適切な長さに切除しても良い。また、毛髪素材の形状は好み、目的に応じて、直毛、あるいはカール状、年令に応じて白髪の混じったもの等、自由に変えることができる。
【００１５】
図４は本実施例における前記頭部着用部材２と前記毛髪状部材３の固着方法の拡大図であり、２つの頭部着用部材２で毛髪状部材３を挟み込み、伸縮性のある糸で縫製して固着する。このことによって、前記頭部着用部材２の伸縮性を保ち、さらに頭皮に対して直接毛髪素材が接触しないので、毛髪独特のチクチクする刺激を押さえ、快適な着用感を得ることができる。
【００１６】
図５は本発明の頭部生え際形成体を頭部に着用した場合の側面図である。
【００１７】
本発明の生え際部分にあわせて、帽子を着用すると図６のようになり、自然な生え際をもたらすことが可能である。また、帽子に限らず、使用者の好みや目的に応じてスカーフ等自由に選べ、自宅で過ごしている場合は、図７のようにスカーフ等を着用すると、くつろぐことができる。また、本発明と帽子等の着用時のずれを防ぐために、縫製糸で簡単に仮止めする手段も良い方法である。
【００１８】
次に、本発明の実施の形態２について図９〜図１０に従って説明する。
図１０は実施の形態２における毛髪状部材の一部の正面図である。
複数の毛髪状繊維４の長さ方向中央付近が纏め部材５により纏められ、折りたたまれ、毛髪状繊維４の両端が一方向に揃えられている。
具体的には、多数の毛髪状繊維４が、同方向に揃えられて、平面的に並べられた繊維の長さ方向中央部分付近が例えば伸縮性のある糸等の纏め部材５により縫製されていることによりひと纏めにされている。
中央部分付近で縫製された繊維は折り返され両端が同方向を向くように束ねられている。
縫製により纏められた部分の両端が留められ、輪状に形成されている。
ここで、毛髪状繊維４は折返され、縫いしろ部分が頭部着用部材によって隠れるため、生え際から見えるように希望する長さの２倍以上あると良い。
図３に示すように前髪、襟足、もみ上げ等の部位によって長さを変えても良い。
長さを変える場合は纏める前に長さを調節しておいても良いし、纏めてから切断して調節しても良い。纏める前に揃えておけば毛髪状繊維４の無駄を防止することができるし、長めに纏めて構成してから調節すれば使用者の好みに合わせたスタイルを提供することができる。
【００１９】
また、毛髪状繊維４を纏め、折り返す位置を、中央より上下どちらかに少し（例えば１ｃｍ程度）ずらして両側の長さを異なるようにすることもできる。このような構成によれば毛髪状繊維４の長さを変えなくても、毛先が一直線にならずに自然に見える。
また、纏め部材５や縫製糸はいずれもゴム材等の伸縮性のあるものが好まく、簡単にほどけないように、返し縫等でしっかりと縫製するとよい。
なお、図９〜１４においては説明しやすくするために毛髪状繊維４を少なく表しているが、  毛髪状繊維の量としては着用した際に隙間が無く、自然に見える程度あるとよい。
【００２０】
毛髪状繊維４を中央付近で纏め、折り返して両端を一方向に揃えることにより、複数本掴んで引っ張っても、もともと一本につながっている繊維の両側を引っ張ることになるため、意図的に１本づつ抜こうとしない限り、簡単には抜けない。したがって、少量づつ手で結う必要は無く一度に簡単にミシン等で縫製しただけであっても、安心して着用することができる。
【００２１】
次に、本実施例における製造方法を図９〜１３に従って説明する。
図９に示されるように、まず複数の毛髪状繊維４を同方向に揃え、平面的に並べておいて長さ方向における中央部分付近を縫製する。次に図１０に示されるように、縫製した部分を中心にして各毛髪状繊維４が二つに折りたたまれるように折り返す。各毛髪状繊維４の折りたたむ前の両側を同方向に揃えて束ねる。このようにして毛髪状部材３が完成する。次に図１１に示されるように、毛髪状部材の纏め部分を輪状にして両端をとめる。次に図１２に示されるように輪状に構成された毛髪状部材を同じく輪状に構成された頭部着用部材２に重ねる。この時、頭部着用部材２の淵付近に纏め部材が位置するように重ねるとよい。重ね合わせたまま縫製し、頭部着用部材２の幅方向上部半分を折り返し更に縫製する（図１３）。この時二度目の縫製は、縁にできるだけ近い部分を縫うことにより、毛髪状繊維４が互いに絡まるのを防ぐことができる。
【００２２】
頭部着用部材２及び毛髪状部材３を予め輪状にした後に取り付けることにより、頭部着用部材２と毛髪状部材３の縫い目の位置をずらすことができ、必要以上に厚くなるのを防ぐことができる。したがって、装着感を良くするとともに見た目を自然にすることができる。
輪状の頭部着用部材２は市販のヘアバンドを用いることができるので便利である。
頭部着用部材２の材質としてはとしては柔軟性、伸縮性、吸水性のある素材がよく、例えば綿素材により構成された糸を伸縮しやすくニット状に編みこんだものがよい。伸縮することにより、どんな人の頭にもフィットさせることができる、また、やわらかい素材を使用することによって、長時間着用しても頭が痛くならないようにすることができる。
また、頭部着用部材２はある程度幅の広いものがよく、折りたたむ場合には、完成した状態で４ｃｍくらいが好ましい。この程度の幅を持たせることにより着用の際に捩れるのを防止することができ、また、多少の運動をしても位置がずれず、頭部と接する面積を広くすることができるため特定部分に負担がかかるのを防ぎ、長時間の着用による頭痛を防ぐことができる。
頭部着用部材２は、纏め部分の縫製による凹凸を覆い、頭皮に直接当着する面の凹凸を隠し、頭部に負担を与えない程度の厚さがあればよく、３ｍｍ程度が望ましい。あまり厚いと帽子やバンダナ等の下に着用する際に頭部の形状や大きさに影響するからである。
【００２３】
また、図１４に示すように、複数の前記毛髪状部材が前記頭部着用部材２に固定され、前記複数の毛髪状部材の固定位置は互いにずらされているような構成にしてもよい。
複数の毛髪状部材をずらして固定させることにより本来の人間の頭部の毛の生え方に近くなり、自然に見える。
また、固定部をずらすことにより、縫い目が重ならないので固定部が必要以上に厚くならない。
【００２４】
さらに、簡単に作業することができる製造方法として、複数の毛髪状繊維４を纏める際に頭部着用部材２を一緒に縫製して固定することもできる。
具体的には、頭部着用部材２に直接複数の毛髪状繊維４を並べ、頭部着用部材２の幅方向中央より下部に毛髪状繊維４の中央部をあわせて縫製し、毛髪状繊維４の縫製部分より上部を下に折り返し、頭部着用部材２の上半分を折り返してかぶせ、下端を再度縫製する。
このようにすることによって最低２回縫製すればしっかり固定できるため、縫い目がいくつも重なるということが無く、必要以上に厚くならないので自然に見える。
また、作業工程も少なくなるため、製造が容易で、更に安価で提供することができる。
【００２５】
実施の形態３について図８に従って説明する。
図８は実施の形態３に係る生え際形成体の着用状態を示す側面図であり、通常の帽子の内側に着用する被り物９が前記頭部着用部材に取りはずし可能に取り付けられている
ここで、一体型とする被り物の形状は凹凸の無いシンプルな帽子のような形が望ましく、材質は通気性、吸水性に富むものがよい。例えば綿等である。頭部着用部材と同じ素材にしてもよい。
また、通常の帽子等の下に被ることができるようにできるだけ薄いものがよく、厚さ２ｍｍ程度がよい。
また、被り物９は頭部着用部材に取り外し可能に構成するとよい。
取り外し可能に取り付ける構成として、例えば、頭部着用部材及び被り物９の対向する位置に面ファスナー又はスナップ等が設けられているような構成にしてもよいし、被り物９のうち頭部着用部材に当着する部分にゴム等の伸縮性のある素材を設けてもよい。また、被り物９を伸縮性のある素材で構成することにより、位置をしっかり固定し、ずれを防ぐこともできる。
被り物９は黒色等にして目立たないようにしても良いし、色やデザインをファッション性のあるものにすれば、通常のニット帽のように見えるため違和感をなくすことができる。
【００２６】
頭部の手術や薬の副作用等で一時的に毛髪がなくなっている時期は普段以上に帽子等を必要とするが、本実施例に係る生え際形成体によれば、試着する際に頭部を露出することなく、通常の頭部の大きさ形にフィットするかどうか試すことができる。
また、普通の帽子の下に着用できる薄さであるので上に好きな帽子を被って買い物に出かけ、試着する時のみ帽子を脱いで試着をすることができる。
【００２７】
本発明に係る頭部生え際形成体は、おしゃれとして適用することも可能でる。例えば、毛髪状繊維４を長めに構成すれば、もともとショートカットの人が帽子等の下に着用して、ファッションとして取り入れることもできる。また、逆にロングヘアーの人がボブヘアーを体験することもできる。更には、毛髪状繊維４の色を赤色や金色にすることによって自分の毛を染めることなく手軽に一時的な流行を取り入れることができる。
また、毛髪状繊維４を頭部周囲のうち、例えば襟足、後頭部、等の一部分にのみ取り付け、自分の頭髪をボリュームアップさせることもできる。この場合は頭部着用部材２は色や柄をファッション性のあるものに構成すれば、普通のヘアバンドを着用しているように見えるので、帽子を着用せずに手軽にボリュームを増やすことができ、おしゃれを楽しむことができる。
【００２８】
なお、本願発明は、上記実施の形態に限定されることなく、材質、形状、上下等の方向を実施する上で好適なものにすることができる。
また、本実施例においては毛髪状繊維４を縫製により固定しているが、その他伸縮性のある接着テープ等により固定してもよい。
また、実施の形態３においては一つの頭部着用部材２を折り返して挟み込む構成について説明したが、図４に示されるように２つの頭部着用部材２を重ね合わせて縫製してもよい。
【図面の簡単な説明】
【００２９】
【図１】頭部着用部材に毛髪状部材を固着した頭部生え際形成体の実施図。
【図２】本発明の頭部に着用する頭部着用部材の説明図。
【図３】毛髪状部材の説明図。
【図４】頭部着用部材に毛髪状部材を固着する方法を示す拡大図。
【図５】実施の形態１に係る本発明の頭部生え際形成体の着用状態を示す側面図。
【図６】本発明の頭部生え際形成体の頭部生え際形成体の着用状態に帽子を着用した状態の側面図。
【図７】本発明の頭部生え際形成体の頭部生え際形成体の着用状態にスカーフを着用した状態の側面図。
【図８】実施の形態３に係る本発明の頭部生え際形成体の着用状態を示す側面図。
【図９】実施の形態２に係る本発明の頭部生え際形成体の製造方法説明図。
【図１０】実施の形態２に係る本発明の頭部生え際形成体の製造方法説明図。
【図１１】実施の形態２に係る本発明の頭部生え際形成体の製造方法説明図。
【図１２】実施の形態２に係る本発明の頭部生え際形成体の製造方法説明図。
【図１３】実施の形態２に係る本発明の頭部生え際形成体の製造方法説明図。
【図１４】実施の形態２に係る本発明の頭部生え際形成体の製造方法説明図。
【符号の説明】
【００３０】
１    頭部生え際形成体
２    頭部着用部材（伸縮ベルト）
３    毛髪状部材
４    毛髪状繊維
４ａ  前髪部分
４ｂ  鬢部分
４ｃ  襟足部分
５    纏め部材
７    帽子
８    スカーフ
９    被り物
【図１】
2005068628.tif 000003
【図２】
2005068628.tif 000004
【図３】
2005068628.tif 000005
【図４】
2005068628.tif 000006
【図５】
2005068628.tif 000007
【図６】
2005068628.tif 000008
【図７】
2005068628.tif 000009
【図８】
2005068628.tif 000010
【図９】
2005068628.tif 000011
【図１０】
2005068628.tif 000012
【図１１】
2005068628.tif 000013
【図１２】
2005068628.tif 000014
【図１３】
2005068628.tif 000015
【図１４】
2005068628.tif 000016